(57)【要約】【課題】遊技領域を発光させるように発光体を遊技盤の遊技領域のガイドレールや発光部材の近傍に配設しても、遊技盤前面に貼付された化粧シートの裏面に発光体が当接するような事態を防止する。【解決手段】遊技盤収納フレーム４の背面当接部４１前面に当接する本体盤９ａの背面に窪部を形成して、上側裏面構成部材２０と一体の第１発光基板取付部２１の背面が本体盤９ａの背面より突出させないように、本体盤９ａの窪部に形成した位置決め部材挿通孔９４に挿通した位置決め部材２５ｃの前端部を、化粧シート９３を介して装飾部材１７の遊技領域区画壁１７ａにより前側から押さえることで、木材製の本体盤９に反りが生じても、第１発光基板取付部２１のランプ収容筒部２５ｂおよびこの内部に収容されたランプ２７が化粧シート９３に近づくことを防止する。【選択図】図５
2005152179.tif 000002
【特許請求の範囲】
【請求項１】
前面枠に前方が開放した遊技盤収納空部を有する収納フレームを設け、該収納フレームには背部の周縁部から収納空部内へ延出する背面当接部を設け、該背面当接部の収納空部側端縁が開口縁となるフレーム開口部を形成し、上記収納フレームの背面当接部前面に遊技盤の背面を当接させるように前側から遊技盤収納空部へ遊技盤を収納する構成とし、
上記収納フレームに収納され、木製の板材よりなる本体盤の前面側に化粧シートを貼付してなる遊技盤は、前面側に、各種遊技具や遊技装置が設けられる遊技領域と、該遊技領域の外側に配設される装飾部材とを備え、裏面側に、上記収納フレームのフレーム開口部に臨む位置に配設される裏面構成部材を備えるものとした遊技機において、
上記遊技盤は、
発光体を前側に備える発光基板を収納可能で、前側に突出する位置決め部材を備えた発光基板取付部を、上記裏面構成部材の外縁適所に設け、
上記発光基板取付部に対応する部位の本体盤裏面には、発光基板取付部の背面が本体盤裏面よりも後方へ突出しないように発光基板取付部を収容し得る所要形状の窪部を設け、該窪部の適所には、本体盤の前面まで貫通して化粧シートの裏面に至る位置決め部材挿通孔と発光体収容孔とを設けて、発光基板取付部の位置決め部材を位置決め部材挿通孔へ挿入して窪部内の適正位置へ発光基板取付部を収容すると共に、窪部内に収容された発光基板取付部の発光基板が備える発光体からの光が化粧シートの裏面を照射するものとし、
上記化粧シートの裏面に上記発光体収容孔が開口する部位には、光を透過させる透過部を形成し、
上記本体盤に装着される装飾部材には、上記化粧シートの前面に当着する当着部を形成し、上記位置決め部材挿通孔に挿通された位置決め部材の前端部が化粧シートの裏面に当接する部位に対して、上記当着部を前面から押し当てるようにしたことを特徴とする遊技機。
【請求項２】
上記装飾部材は、上記遊技領域を区画する区画部位に沿って化粧シートの前面から前側に立ち上がる壁状の遊技領域区画壁を備えるものとし、
上記窪部の位置決め部材挿通孔は、上記遊技領域区画壁の後端面が当着する部位に対応させて設け、
上記遊技領域区画壁の後端面を当着部とし、上記位置決め部材挿通孔に挿通された上記位置決め部材の前端部が化粧シートの裏面に当接する部位の前面に、上記遊技領域区画壁の後端面を押し当てるようにしたことを特徴とする請求項１に記載の遊技機。
【発明の詳細な説明】
【技術分野】
【０００１】
本発明は、前面枠に前方が開放した遊技盤収納空部を有する収納フレームを設け、該収納フレームには背部の周縁部から収納空部内へ延出する背面当接部を設け、該背面当接部の収納空部側端縁が開口縁となるフレーム開口部を形成し、上記収納フレームの背面当接部前面に遊技盤の背面を当接させるように前側から遊技盤収納空部へ遊技盤を収納する構成とし、上記収納フレームに収納され、木製の板材よりなる本体盤の前面側に化粧シートを貼付してなる遊技盤は、前面側に、各種遊技具や遊技装置が設けられる遊技領域と、該遊技領域の外側に配設される装飾部材とを備え、裏面側に、上記収納フレームのフレーム開口部に臨む位置に配設される裏面構成部材を備えるものとした遊技機に関するものである。
【背景技術】
【０００２】
周知のように、遊技機には、木製の板材よりなる本体盤の表面に化粧シートを貼付して形成された遊技盤が設けられている。この遊技盤には、化粧シートの表面側をガイドレールや装飾部材（所謂サイドランプ）等により区画して形成した遊技領域を設け、各種遊技具や遊技装置を設けた遊技領域に遊技球を打ち込んで遊技を行うのである。また、化粧シートは、通常、裏面に絵柄や模様を印刷した合成樹脂製の透明シートと、この透明シートの裏面に貼付される紙製の不透明シートと、から構成されて、遊技領域を装飾するのである。
【０００３】
また、遊技盤の装飾効果を高めるために、遊技盤を構成する本体盤に貫通孔を形成して、この貫通孔に裏面から発光体を臨ませ、化粧シートの裏面に発光体が臨む部位（貫通孔のある部位）には、上記化粧シートを構成する不透明シートを穿孔することで、透光性を確保した透光部を形成し、この透光部においての貫通孔と対応する部分を穿孔することにより、遊技盤の盤面を発光させるようにしたものが提案されている。
【０００４】
【特許文献１】実開平２−３９７８３号公報
【０００５】
上記特許文献１に記載されているような遊技盤を用いれば、遊技機の装飾効果を高めることができるものの、これを実現しようとした場合、種々の問題がある。
【０００６】
従来の遊技機の前面枠には、前方が開放する箱状に形成されて箱の裏面に開口部が形成された収納フレームを設け、当該収納フレーム背部の周縁部に遊技盤の裏面の周縁部を当接させるように、遊技盤を収納フレームの前方から収納する構造を採用しており、このため、収納フレーム裏面の周部に安定して当接するように遊技盤の周縁部は面一な状態（少なくとも、部分的に後方へ突出する箇所がない状態）となっている必要がある。
【０００７】
すなわち、遊技盤の周縁部に発光源を設けるためには、遊技盤の裏面を窪ませて（所謂ザグリを形成して）窪みに発光体を取り付けるための取付部材を収納する必要があり、例えば、遊技領域全体を発光させるためには、遊技領域の境界となるガイドレールや装飾部材の近傍にザグリを形成しなければならないのである。
【０００８】
また、発光体から照射された光を効率よく遊技盤前面へ照射させるためには、遊技盤前面の化粧シートから発光体が離れすぎない位置に設定する必要があり、その一方、発光体の取付部材を収納する窪みは、発光体の発光による熱を逃がすために十分な隙間が形成されるよう充分に深く設定する必要がある。
【０００９】
ところが、遊技盤の本体盤が木製の板材により構成されているために、板材に生ずる反りが避けられず、特に、本体盤の周縁部（遊技領域の境界となるガイドレールや装飾部材の近傍）に発光体の取付部材を収納する窪みを形成した場合、一層、反りが生じ易くなってしまう。
【００１０】
このため、本体盤の周縁部に設けた窪みに発光体の取付部材を収納すると、本体盤に生じた反りによって、発光体の取付部材が本来の設定位置よりも窪みの底面側（遊技盤の前面側）に沈降することがある。発光体の先端が所定の位置よりも化粧シートの裏面に近づくと、化粧シートが熱で歪んでしまって、遊技領域の盤面上に好ましくない凸凹が生じる可能性がある。また、比較的発熱の少ないＬＥＤ等を発光体として用いた場合でも、本体盤に生じた反りによって、発光体の先端が化粧シートの裏面に直接当たってしまうと、遊技領域の盤面上に好ましくない凸凹が生じてしまい、遊技球が正常に遊技領域を転動することを阻害する。
【００１１】
このように、本体盤に生じた反りによって化粧シートの背面と発光体の先端との相対位置が変化することを抑制し、本体盤に反りが生じても発光体が化粧シートに当たらないようにするためには、発光体の取付部材を窪みの底面にビス止めする方法が効果的と考えられるが、上述したように、窪みの深さを充分に深く設定する必要があるために、発光体の取付部材を十分に締着できるサイズのビスを用いると、ビスの先端が遊技盤の前面側に突出する危険性があり、この手法を採用することは難しい。
【００１２】
以上のように、遊技盤の周縁部（遊技領域の境界となるガイドレールや装飾部材の近傍）を発光させるようにするためには、遊技盤を収納する収納フレームにおける背部の周縁部に安定して遊技盤の裏面の周縁部を当接させることができる構造で、本体盤に反りが生じても発光体が化粧シートに当たることを防止できる構造、しかも、遊技盤の前面側における遊技領域の外観を阻害したり遊技球の正常な流下を妨げることのない構造を実現する必要がある。
【発明の開示】
【発明が解決しようとする課題】
【００１３】
上記問題点に鑑み、本発明は、遊技領域を発光させるように発光体を遊技盤の遊技領域のガイドレールや発光部材の近傍に配設しても、遊技盤前面に貼付された化粧シートの裏面に発光体が当接するような事態を防止できる発光体の取付構造を有する遊技機を提供することを目的とする。
【課題を解決するための手段】
【００１４】
上記の課題を解決するために、請求項１に係る発明は、前面枠に前方が開放した遊技盤収納空部を有する収納フレームを設け、該収納フレームには背部の周縁部から収納空部内へ延出する背面当接部を設け、該背面当接部の収納空部側端縁が開口縁となるフレーム開口部を形成し、上記収納フレームの背面当接部前面に遊技盤の背面を当接させるように前側から遊技盤収納空部へ遊技盤を収納する構成とし、上記収納フレームに収納され、木製の板材よりなる本体盤の前面側に化粧シートを貼付してなる遊技盤は、前面側に、各種遊技具や遊技装置が設けられる遊技領域と、該遊技領域の外側に配設される装飾部材とを備え、裏面側に、上記収納フレームのフレーム開口部に臨む位置に配設される裏面構成部材を備えるものとした遊技機において、上記遊技盤は、発光体を前側に備える発光基板を収納可能で、前側に突出する位置決め部材を備えた発光基板取付部を、上記裏面構成部材の外縁適所に設け、上記発光基板取付部に対応する部位の本体盤裏面には、発光基板取付部の背面が本体盤裏面よりも後方へ突出しないように発光基板取付部を収容し得る所要形状の窪部を設け、該窪部の適所には、本体盤の前面まで貫通して化粧シートの裏面に至る位置決め部材挿通孔と発光体収容孔とを設けて、発光基板取付部の位置決め部材を位置決め部材挿通孔へ挿入して窪部内の適正位置へ発光基板取付部を収容すると共に、窪部内に収容された発光基板取付部の発光基板が備える発光体からの光が化粧シートの裏面を照射するものとし、上記化粧シートの裏面に上記発光体収容孔が開口する部位には、光を透過させる透過部を形成し、上記本体盤に装着される装飾部材には、上記化粧シートの前面に当着する当着部を形成し、上記位置決め部材挿通孔に挿通された位置決め部材の前端部が化粧シートの裏面に当接する部位に対して、上記当着部を前面から押し当てるようにしたことを特徴とする。
【００１５】
また、請求項２に係る発明は、上記請求項１に係る遊技機において、上記装飾部材は、上記遊技領域を区画する区画部位に沿って化粧シートの前面から前側に立ち上がる壁状の遊技領域区画壁を備えるものとし、上記窪部の位置決め部材挿通孔は、上記遊技領域区画壁の後端面が当着する部位に対応させて設け、上記遊技領域区画壁の後端面を当着部とし、上記位置決め部材挿通孔に挿通された上記位置決め部材の前端部が化粧シートの裏面に当接する部位の前面に、上記遊技領域区画壁の後端面を押し当てるようにしたことを特徴とする。
【発明の効果】
【００１６】
請求項１に係る遊技機によれば、遊技盤の裏面に配設される裏面構成部材の外縁適所に発光基板取付部を設けて、この発光基板取付部に発光基板を収納し、発光基板取付部の裏面が本体盤裏面よりも後方へ突出しないように発光基板取付部を収容し得る所要形状の窪部を設けたので、遊技盤を前側から収納する収納フレームの背面当接部前面に当接する部位に発光基板取付部が位置しても、安定して遊技盤の背面を当接させることができ、遊技盤を収納フレームに収納する上で発光基板取付部が障害となることはない。
【００１７】
更に、窪部に設けた位置決め部材挿通孔へ発光基板取付部の位置決め部材を挿入して、位置決め部材の前端部が化粧シートの裏面に当接すると、発光体収容孔内の発光体が化粧シート裏面の透過部に臨む適正位置に配され、本体盤に装着される装飾部材に形成した当着部が、位置決め部材挿通孔に挿通された位置決め部材の前端部に、化粧シートを介して押し当たるので、本体盤に反りが生じても、位置決め部材の前端部は装飾部材の当着部に押さえられて、それより前に移動することはできず、このため、発光基板取付部に収容された発光基板の発光体も適正位置より化粧シートに近づくことはないので、化粧シートの裏面に発光体が当接するような事態を確実に防止できる。
【００１８】
また、請求項２に係る遊技機によれば、装飾部材が備える遊技領域区画壁の後端面を当着部として用いるものとしたので、装飾部材に当着部を別途設ける必要がなく、既存の装飾部材の形態をそのまま流用することができる。
【発明を実施するための最良の形態】
【００１９】
次に、本発明に係る遊技機の実施形態を添付図面に基づき詳細に説明する。
【００２０】
図１は、パチンコ遊技を行える遊技機１の外観斜視図で、機枠２の前面側に額縁状の前面枠３を開閉可能に設け、該前面枠３に開設した窓部に遊技盤収納フレーム４を設け、その前面側にガラス枠（図１においては、図示を省略）を開閉可能に軸着する。また、前面枠３に開設した窓部の下部には開閉パネル５を開閉可能に軸着する。なお、前面枠３の下部前面側に球受皿６と発射操作ハンドル７などを取り付け、開閉パネル５には打球発射機構（図示省略）へ供給する遊技球を貯留する球供給皿８を設けてある。
【００２１】
上記遊技盤収納フレーム４は、前方が開放した遊技盤収納空部を有するもので、この遊技盤収納空部内に遊技盤９が収納される。遊技盤９は、木製の板材よりなる本体盤の前面側に化粧シート（後に詳述）を貼付したもので、打球発射機構により弾発された遊技球をガイドするガイドレール１０により概ね区画される遊技領域１１内に、変動表示装置１２や変動入賞装置１３といった比較的大型の遊技装置、入賞具１４や風車１５といった各種遊技具に加え、多数の障害釘１６が植設されている。また、遊技盤９の前面における遊技領域１１の外側における適所、例えば右上部に装飾部材１７を設け、非遊技領域を装飾し、遊技盤９の外観を良好ならしめる。
【００２２】
上記遊技機１の裏面側は、図２に示すように、前面枠３の裏面上部から片側部（図２においては右側方部）にかけてＬ字状に裏機構盤本体１８を設けてある。この裏機構盤本体１８は、島設備の球供給機構から排出用の遊技球を受け取って、賞球や貸球の排出動作を行う一連の機能を集約的に設けたものである。その他、制御装置１９ａや電源装置１９ｂ、各種の中継基板などが設けられる。
【００２３】
上記遊技盤収納フレーム４の背部は、周縁部（例えば、左右両側縁および上縁）から収納空部内へ延出する背面当接部４１を設けた構造で、背面当接部４１の収納空部側端縁４１ａが開口縁となるフレーム開口部を形成し、遊技盤収納フレーム４の背面当接部４１前面に遊技盤９の背面の縁部を当接させるように、前側から遊技盤収納空部へ遊技盤９を収納する。
【００２４】
遊技盤９の裏面側は、図３に示すように、本体盤９ａの裏面に上側裏面構成部材２０と下側裏面構成部材３０を取り付けてある。上部裏面構成部材２０には、上記変動表示装置１２の変動表示部として機能する表示ユニットが設けられた表示ユニット止着部３１を所定位置に保持する。一方、下部裏面構成部材３０には、上記変動入賞装置１３などに入賞した遊技球を集めて回収する遊技球回収樋などが設けられている。
【００２５】
しかして、上部裏面構成部材２０の上部外縁には第１発光基板取付部２１を、左右側部の外縁には、第２発光基板取付部２２と第３発光基板取付部２３を設けてある。以下、第１発光基板取付部２１の詳細構造と、本体盤９ａへの取付状態を図４および図５に基づいて説明する。
【００２６】
上部裏面構成部材２０は、図４に示すように、変動表示装置１２の表示ユニットを収容できる中空の枠構造で、遊技盤９の裏面に定着するための定着部２４…を適所に設けてある。これら定着部２４の定着面（本体盤９ａの裏面に定着される前側の面）は、ほぼ面一となるようにしてあり、この定着面よりも前側に突出するように前部収納体２５を設け、前側収納体２５の裏面開口を蓋体２６で遮蔽することにより、第１発光基板取付部２１が形成され、その内部に発光基板２７を収容するのである。
【００２７】
発光基板２７には、発光体たるランプ２７ａを前面側に所定数設けてあり、これらランプ２７ａ…は、前側収納体２５の前面２５ａより前側に突出する筒状のランプ収容筒部２５ｂ内に内挿され、ランプ収容筒部２５ｂの前側開口からランプ２７ａが臨むようになる。ランプ収容筒部２５ｂにより、上部裏面構成部材２０を遊技盤９の裏面に取り付けてランプ２７ａを遊技盤９に設けられた後述の発光体収容孔に収納する際に、ランプ２７ａが発光体収容孔の周縁に衝接して発光基板２７から脱落することを防止できる。また、前側収納体２５の前面２５ａには、前側に突出する複数の位置決め部材２５ｃも設けてあり、これら位置決め部材２５ｃの前端部は定着面と平行な平面（すなわち、本体盤９ａの前面および裏面と平行な平面）となるようにしてある。
【００２８】
なお、上記位置決め部材２５ｃの前端部から上記定着部２４の定着面までの前後方向の距離は、本体盤９ａの厚さにほぼ等しくなるように、位置決め部材２５ｃの長さを設定してある。一方、ランプ収容筒部２５ｂの長さは位置決め部材２５ｃよりも若干短くなるようにし、ランプ２７ａもランプ収容筒部２５ｂの前側開口から突出しない程度の長さに調整してある。
【００２９】
上記のように構成した第１発光基板取付部２１を収容するために、本体盤９ａの裏面における対応部位には、窪部を設けてある（図５参照）。この窪部は、第１発光基板取付部２１における外側面２５ｄの形状に応じた窪部側壁９１と、第１発光基板取付部２１における前側収納体２５の前面２５ａよりも適宜前方に位置する窪部底壁９２とからなり、第１発光基板取付部２１の背面が本体盤９ａの裏面よりも後方へ突出しないように、発光基板取付部２５を窪部へ収納できるようにする。
【００３０】
また、窪部底壁９２の適所には、本体盤９ａの前面まで貫通して化粧シート９３の裏面に至る位置決め部材挿通孔９４と発光体収容孔９５とを設け、第１発光基板取付部２１の位置決め部材２５ｃを位置決め部材挿通孔９４へ挿入して窪部内の適正位置へ第１発光基板取付部２１を収容すると共に、窪部内に収容された第１発光基板取付部２１の発光基板２７が備えるランプ２７ａが発光体収容孔９５内に収容され、ランプ２７ａからの光が化粧シート９３の裏面を照射することとなる。
【００３１】
なお、本構成例における発光基板２７は、発光体として発熱量の比較的多いランプ２７ａを用いたので、前側収容体２５の前面２５ａと窪部底壁９２との間、ランプ収容筒部２５ｂの外周面と発光体収容孔９５の内面との間、前側収容体２５の外側面２５ｄと窪部側壁９１との間、および蓋体２６の背面と背面当接部４１の前面との間には、夫々放熱用の空隙が形成されるようにしたが、放熱量の少ないＬＥＤを発光体として用いる場合には、放熱用空隙をあまり考慮する必要はない。
【００３２】
上記化粧シート９３は、裏面に絵柄や模様を印刷した合成樹脂製の透明シート９３ａと、この透明シート９３ａの裏面に貼付される紙製の不透明シート９３ｂとから構成されるものとし、上記発光体収容孔９５が開口する部位の不透明シート９３ｂに透過孔９６を開設しておくことで、ランプ２７ａから照射された光を遊技盤９の前面側へ透過させる透過部を形成した。これにより、遊技球Ｐが流下する遊技領域１１内において遊技盤面を発光させることが可能となる。
【００３３】
なお、化粧シートの構成としては、透明シート９３ａと不透明シート９３ｂを積層構造にしたものに限らず、例えば、透明シートの裏面に半透過性素材（例えば、トレーシングペーパー等）のシートを貼付した構成でも良い。このように、透明シートと半透過性シートの積層構造からなる化粧シートを用いれば、発光体収容孔９５の開口部位が臨む部位をそのまま透過部として機能させ、ランプ２７ａから照射された光を前面へ透過させることができるし、ランプ２７ａの消灯時には透過部（発光体収容孔９５の開口が臨む部位）の位置を視認し難くなるので、一層効果的な装飾表示を実現できる。加えて、化粧シートの製造工程においても、上述した不透明シート９３ｂを用いる場合のように、透過孔９６を開設する穿孔工程を行う必要がないので、生産性の向上を期せるという利点もある。
【００３４】
更に、遊技盤９の前面側に装着される装飾部材１７は、遊技領域１１と非遊技領域を区画する区画部位に沿って化粧シート９３の前面から前側に立ち上がる壁状の遊技領域区画壁１７ａを備えるものとし、遊技領域区画壁１７ａの後端面が化粧シート９３の表面に当着する部位に対応させて、位置決め部材挿通孔９４を設けた。これにより、位置決め部材挿通孔９４に挿通された位置決め部材２５ｃの前端部が化粧シート９３の裏面に当接する部位に対しては、装飾部材１７の遊技領域区画壁１７ａの後端面が化粧シート９３の前面から押し当てられることとなる。
【００３５】
上述したような発光基板２７の取付構造を採用した遊技機１においては、遊技盤９を前側から収納する遊技盤収納フレーム４の背面当接部４１前面に当接する部位に第１発光基板取付部２１が位置していても、遊技盤９の背面を安定して遊技盤収納フレーム４の背面当接部４１前面に当接させることができ、遊技盤９を遊技盤収納フレームに収納する上で第１発光基板取付部２１が障害となることはない。
【００３６】
更に、本体盤９ａに反りが生じても、第１発光基板取付部２１の位置決め部材２５ｃの前端部は化粧シート９３を介して装飾部材１７の遊技領域区画壁１７ａに前側から押さえられて、それより前に移動することはできないので、第１発光基板取付部２１のランプ収容筒部２５ｂおよびこの内部に収容されたランプ２７ａも化粧シート９３に近づくことはないので、ランプ２７ａの前端部と化粧シート９３裏面との離隔距離は適正に保たれ、化粧シート９３の裏面にランプ２７ａが当接するような事態を確実に防止できる。
【００３７】
なお、本実施形態においては、化粧シート９３の前面側から第１発光基板取付部２１の位置決め部材２５ｃの前端部に押し当てる当着部として、装飾部材１７の遊技領域区画壁１７ａを用いるものとしたので、既存の装飾部材１７の形態をそのまま流用することができるが、これに限らず、別途当着部を装飾部材１７に設けるようにしても良い。
【００３８】
また、装飾部材１７の当着部を位置決め部材２５ｃの前端部に押し当てる位置も特に限定されるものではないが、本実施形態のように、比較的厚さの薄い遊技領域区画壁１７ａを当着部として用いる場合は、位置決め部材２５ｃの前端部の略々中央部に当たるようして、装飾部材１７の当着部が当たる面積を大きくとれるようにしておくと、効果的に押さえ込むことができる。
【００３９】
以上は、第１発光基板取付部２１についてのみ説明したが、第２，第３発光基板取付部２２，２３も同様の構成である。なお、第３発光基板取付部２３は、遊技盤収納フレーム４０の背面当接部４１に当たらない箇所に設けたので、第１，第２発光基板取付部２１，２２の如く、本体盤９ａに窪部を設けて収容させる必要はなく、本体盤９ａの厚さに相当する位置決め部材とこれより若干短いランプ収容筒部を第３発光基板取付部２３に設けると共に、本体盤９ａの対応箇所には、位置決め部材挿通孔と発光体収容孔を設けておけば良い。
【００４０】
以上本発明を実施形態に基づき具体的に説明したが、本明細書で開示された実施の形態は全て例示であって、開示された技術に限定されるものではないと考えるべきである。すなわち、本発明の技術的な範囲は、上記の実施形態における説明に基づいて制限的に解釈されるものではなく、あくまでも特許請求の範囲の記載に従って解釈すべきであり、特許請求の範囲の記載技術と均等な技術および特許請求の範囲内での全ての変更が含まれる。例えば、発光部材取付部は、裏面構成部材と一体成型したものに限らず、夫々別体に構成して適宜な止着手段で一体化するようにしても良い。
【図面の簡単な説明】
【００４１】
【図１】本発明に係る遊技機の正面図である。
【図２】本発明に係る遊技機の裏面図である。
【図３】遊技盤の裏面図である。
【図４】上部裏面構成部材の前側俯瞰斜視図である。
【図５】遊技盤収納フレームに収納された遊技盤の第１発光基板取付部における概略縦断面図である。
【符号の説明】
【００４２】
１    遊技機
４    遊技盤収納フレーム
４１  背面当接部
９    遊技盤
９ａ  本体盤
９１  窪部側壁
９２  窪部底壁
９３  化粧シート
９４  位置決め部材挿通孔
９５  発光体収容孔
１１    遊技領域
１７    装飾部材
１７ａ  遊技領域区画壁
２０    上側裏面構成部材
２１    第１発光基板取付部
２２    第２発光基板取付部
２３    第３発光基板取付部
２５    前側収納体
２５ｂ  ランプ収容筒部
２５ｃ  位置決め部材
２７    発光基板
２７ａ  ランプ
【図１】
2005152179.tif 000003
【図２】
2005152179.tif 000004
【図３】
2005152179.tif 000005
【図４】
2005152179.tif 000006
【図５】
2005152179.tif 000007